(57)【要約】【課題】塗布ノズルにおいて、種々の塗布部に塗布剤を容易に塗布することが可能となり、コストも低減できるようにする。【解決手段】塗布ノズル２は、塗布剤容器と接続する接続部２Ａと、接続部２Ａに接続され、接続部２Ａから離れるにつれて第１の中心軸線Ｃ１から第１の方向ｄにおいて連続的に偏心する第２の中心軸線Ｃ２を中心とする管状に形成され、接続部２Ａから離れるにつれて縮径する縮径部２ｆと、縮径部２ｆに接続され、第１の中心軸線Ｃ１に対して第１の方向ｄに偏心して第１の中心軸線Ｃ１と平行に延びる第３の中心軸線Ｃ３を中心とする管状に形成され、縮径部２ｆの最小外形を超えることなくかつ縮径部２ｆよりも外形変化が緩やかな状態で第３の中心軸線Ｃ３に沿う方向に延びる管状部２ｇと、管状部２ｇに接続され、管状部２ｇの最小外形を超えない外形を有する先端部２ｈと、を備える。【選択図】図４
2018094480.tif 000002
【特許請求の範囲】
【請求項１】
第１の中心軸線を中心とする管状に形成され、塗布剤容器と接続する接続部と、
前記接続部の端部に接続され、前記接続部から離れるにつれて前記第１の中心軸線から第１の方向において連続的に偏心する第２の中心軸線を中心とする管状に形成され、前記接続部から離れるにつれて縮径する縮径部と、
前記縮径部において前記接続部と反対側の端部に接続され、前記第１の中心軸線に対して前記第１の方向に偏心して前記第１の中心軸線と平行に延びる第３の中心軸線を中心とする管状に形成され、前記縮径部の最小外形を超えることなくかつ前記縮径部よりも外形変化が緩やかな状態で前記第３の中心軸線に沿う方向に延びる管状部と、
前記管状部における前記縮径部と反対側の端部に接続され、前記管状部の最小外形を超えない外形を有する先端部と、
を備える、塗布ノズル。
【請求項２】
前記縮径部、前記管状部、および前記先端部は、
前記第１の中心軸線に沿う方向から見て、アンダーカットを有しない形状に形成されている、
請求項１に記載の塗布ノズル。
【請求項３】
前記先端部は、
前記管状部から離れるにつれて、前記第３の中心軸線から前記第１の中心軸線の方にむかって傾斜または湾曲する第４の中心軸線に沿って延びる、
請求項２に記載の塗布ノズル。
【請求項４】
前記第３の中心軸線に直交する断面における前記管状部の断面形状は、
前記第１の方向に短軸を有する略楕円状である、
請求項１〜３のいずれか１項に記載の塗布ノズル。
【請求項５】
前記縮径部、前記管状部、および前記先端部の肉厚は、それぞれ略一定である、
請求項１〜４のいずれか１項に記載の塗布ノズル。
【請求項６】
前記先端部には、塗布剤を吐出する吐出口が形成されている、
請求項１〜５のいずれか１項に記載の塗布ノズル。
【請求項７】
塗布剤を収容する塗布剤容器と、
請求項１〜６のいずれか１項に記載の塗布ノズルと、
を備える、塗布用カートリッジ。
【発明の詳細な説明】
【技術分野】
【０００１】
本発明は、塗布ノズルおよび塗布用カートリッジに関する。
【背景技術】
【０００２】
例えば、シーリング剤、コーキング剤、接着剤などの塗布剤を塗布するために先細の塗布ノズルを用いることが知られている。このような塗布ノズルは、塗布剤容器に接続されて塗布用カートリッジを構成する場合がある。塗布用カートリッジは、例えば、コーキングガンなどにセットされて用いられる場合がある。
例えば、特許文献１には、直円錐状のノズル体を有するシーリング剤充填ガン用カートリッジが記載されている。このノズル体は、使用時には、先端が切除されることによってノズル口が形成される。
例えば、特許文献２には、略矩形状の断面が入口領域の中心軸線に対して傾斜する方向に沿って縮径する、斜角錐状の形状を有する塗布ノズルが記載されている。
例えば、特許文献３には、接続部から先端に向かうにつれて縮径するとともに、先端部が斜めに屈曲しているコーキング材供給ノズルが記載されている。
【先行技術文献】
【特許文献】
【０００３】
【特許文献１】特開平７−２３８６７０号公報
【特許文献２】特表２０１６−５２０４２４号公報
【特許文献３】特開２０１６−５０４３２号公報
【発明の概要】
【発明が解決しようとする課題】
【０００４】
しかしながら、上記のような従来技術には、以下のような問題がある。
特許文献１に記載された直円錐状のノズル体は、カートリッジの中心から前方に向かってシーリング剤を吐出する。このため、塗布部の配置あるいは形状によっては、塗布が難しくなる場合がある。塗布できたとしてもシーリング剤充填ガンに隠れて塗布部が見えにくくなるため、きれいに塗布できないおそれがある。例えば、高所の窓サッシの上辺部、窓サッシの下部の隙間、壁際となる洗い場の溝などの難塗布箇所に塗布しなければならない場合、このようなノズル体の形状では塗布が難しくなる。
特許文献２に記載された斜角錐状の塗布ノズルにおいては、吐出口が偏心しているため、特許文献１のような直円錐状のノズル体に比べると、種々の塗布部に対して吐出口を向けやすくなる。しかし、塗布ノズルは一様に縮径しているため、塗布剤が塗布ノズルの前方に吐出されることは直円錐状ノズルと同様である。
このため、上述のような難塗布箇所に塗布する場合には、直円錐状のノズルに比べて格段に塗布しやすくなるということはない。
例えば、塗布ノズルの先端を斜めに形成して吐出口に傾斜をつけることによって、作業性は向上する。しかし、塗布ノズルは斜角錐状であるため、吐出口を設ける位置によっては、吐出口の面積が大きくなりすぎる。この結果、塗布量の制御が難しくなり、塗布量がばらつきやすくなる。
特許文献３に記載されたコーキング材供給ノズルは、先端部が斜めに屈曲しているため、直円錐状、斜角錐状のノズルでは塗布できない場所でも塗布しやすくなる。しかし、アンダーカットを有する形状であるため、成形によって製造する場合に、型構造が複雑になる。この場合、型代が増大するため、製造コストが増大するという問題がある。
さらに先端が屈曲したノズルは、塗布時の抵抗が大きくなる。このため、塗布剤容器との接続部の強度を確保するため、ノズル部と接続部とを分けることが必要になる場合もある。この場合、部品コストが増大するという問題がある。
【０００５】
このように、従来の塗布ノズルは、塗布部の配置あるいは形状によって、最適の形状が異なる。このため、一定の中心軸線に沿って延びる円錐状などのストレートノズル（例えば、特許文献１、２）と、全体として中心軸線が屈曲したカーブノズル（例えば、特許文献３）とを、塗布部に応じて使い分けることも行われている。この場合、塗布剤は同一でも、ノズルの異なる複数の塗布用カートリッジが必要になるため、使用しきれない塗布剤が発生して塗布剤が無駄になるおそれがある。また、塗布用カートリッジを使い分けて作業が行われるため、作業性が低下したり、資材の管理の手間が増大したりするおそれがある。
【０００６】
本発明は、上記のような問題に鑑みてなされたものであり、種々の塗布部に塗布剤を容易に塗布することが可能となり、コストも低減できる塗布ノズルを提供することを目的とする。
【課題を解決するための手段】
【０００７】
上記の課題を解決するために、本発明の塗布ノズルは、第１の中心軸線を中心とする管状に形成され、塗布剤容器と接続する接続部と、前記接続部の端部に接続され、前記接続部から離れるにつれて前記第１の中心軸線から第１の方向において連続的に偏心する第２の中心軸線を中心とする管状に形成され、前記接続部から離れるにつれて縮径する縮径部と、前記縮径部において前記接続部と反対側の端部に接続され、前記第１の中心軸線に対して前記第１の方向に偏心して前記第１の中心軸線と平行に延びる第３の中心軸線を中心とする管状に形成され、前記縮径部の最小外形を超えることなくかつ前記縮径部よりも外形変化が緩やかな状態で前記第３の中心軸線に沿う方向に延びる管状部と、前記管状部における前記縮径部と反対側の端部に接続され、前記管状部の最小外形を超えない外形を有する先端部と、を備える。
【０００８】
この場合、管状部および先端部の少なくとも一方にわたって、切断部を形成することによって、塗布ノズルの内部に連通する吐出口が形成できる。
塗布剤容器に収容される塗布剤は、適宜の操作によって、接続部が設けられた塗布ノズルの基端側から塗布ノズルの内部に押し出される。塗布剤は、縮径部と、管状部および先端部もしくは管状部との内部に形成される流路を通して、吐出口から吐出される。
塗布ノズルにおいて接続部よりも先端側には、縮径部と、縮径部の最小外形を超えることなくかつ縮径部よりも外形変化が緩やかな状態で第３の中心軸線に沿う方向に延びる管状部と、管状部の最小外形を超えない外形を有する先端部とが形成されている。これにより、塗布ノズルにおける管状部から先の部位は、管状部の外形より大きな隙間であれば、挿入可能である。このため、塗布ノズルを用いることによって、管状部の外形よりも大きな隙間に塗布剤が塗布できる。さらに、第３の中心軸線が第１の中心軸線に対して偏心しているため、吐出口を種々の塗布部に向けて配置しやすい。例えば、高所の窓サッシの上辺部、窓サッシの下部の隙間、壁際となる洗い場の溝などの難塗布箇所であっても、管状部の長さの範囲では、より大径の縮径部が、壁や下面部などと干渉しないため、吐出口を塗布部に近づけて対向させることが可能になる。
塗布部が管状部の長さよりも遠くにある場合でも、縮径部は管状部の基端から漸次基端側に拡径しているため、例えば、吐出口から一定の径変化率で拡径する円錐状のノズルなどに比べて縮径部と壁や下面部などとの干渉が起こりにくい。このため、管状部を有しない吐出口を塗布部に近づけて対向させやすい。さらに、塗布作業時の塗布ノズルの傾きが少なくて済むため、塗布部の近傍の塗布ノズルが視認しやすい。
管状部は、第３の中心軸線に直交する断面における外形の変化が縮径部の変化に比べて緩やかであるため、管状部の長さの範囲で切断を行うことによって、吐出量があまり変化しない状態で、吐出口の位置、傾斜を修正することができる。例えば、異なる塗布部において塗布を行う場合に、吐出口の傾斜を変更することが可能であるため、塗布部の形状に応じて塗布ノズルを変更する手間を低減できる。
【０００９】
上記塗布ノズルにおいては、前記縮径部、前記管状部、および前記先端部は、前記第１の中心軸線に沿う方向から見て、アンダーカットを有しない形状に形成されていてもよい。
この場合、接続部よりも先端側の部位は、第１の中心軸線に沿う方向から見てアンダーカットを有しない形状であるため、少なくとも接続部よりも先端側の部位は、簡素な型構造を有する成形型を用いる射出成形によって製造することが可能である。
【００１０】
上記塗布ノズルにおいては、前記先端部は、前記管状部から離れるにつれて、前記第３の中心軸線から前記第１の中心軸線の方にむかって傾斜または湾曲する第４の中心軸線に沿って延びてもよい。
この場合、先端部が第４の中心軸線に沿って延びるため、先端部に吐出口が設けられた場合、塗布剤が、第４の中心軸線に沿って、第３の中心軸線の偏心方向と反対方向における斜め方向に吐出される。このため、アンダーカットを有しない形状であっても斜め方向に塗布剤を吐出することができる。
【００１１】
上記塗布ノズルにおいては、前記第３の中心軸線に直交する断面における前記管状部の断面形状は、前記第１の方向に短軸を有する略楕円状であってもよい。
この場合、管状部の内周面の流路断面積は、同じ隙間に挿入できる円管の内周面の流路断面積よりも大きくなる。このため、管状部における塗布剤の流動抵抗が円管に比べて低減される。このため、塗布剤を押し出すための力量が低減される。
【００１２】
上記塗布ノズルにおいては、前記縮径部、前記管状部、および前記先端部の肉厚は、それぞれ略一定であってもよい。
この場合、縮径部、管状部、および先端部の部位ごとの肉厚が略一定であるため、部位ごとに、それぞれ均等な強度が得られる。
【００１３】
上記塗布ノズルにおいては、前記先端部には、塗布剤を吐出する吐出口が形成されていてもよい。
この場合、吐出口を形成する手間が省かれる。
【００１４】
本発明の塗布用カートリッジは、塗布剤を収容する塗布剤容器と、上記の塗布ノズルと、を備える。
この場合、上記塗布ノズルを備えるため、上記塗布ノズルと同様の作用を備える塗布用カートリッジが提供できる。
【発明の効果】
【００１５】
本発明の塗布ノズルおよび塗布用カートリッジによれば、種々の塗布部に塗布剤を容易に塗布することが可能となり、コストも低減できるという効果を奏する。
【図面の簡単な説明】
【００１６】
【図１】本発明の実施形態の塗布ノズルおよび塗布用カートリッジの構成例を示す模式的な斜視図である。
【図２】本発明の実施形態の塗布ノズルの構成例を示す模式的な正面図である。
【図３】本発明の実施形態の塗布ノズルの構成例を示す模式的な平面図である。
【図４】図２におけるＡ−Ａ断面図である。
【図５】図４におけるＢ−Ｂ断面図である。
【図６】図４におけるＤ−Ｄ断面図である。
【図７】本発明の実施形態の塗布ノズルの製造工程の一例を示す模式的な断面図である。
【図８】本発明の実施形態の塗布ノズルの吐出口の形成方法の一例を示す模式的な断面図である。
【図９】本発明の実施形態の塗布ノズルの吐出口の形成方法の一例を示す模式的な断面図である。
【図１０】第１比較例の塗布ノズルの吐出口の形状について説明する模式的な断面図である。
【図１１】第２比較例の塗布ノズルの吐出口の形状について説明する模式的な断面図である。
【図１２】本発明の実施形態の塗布ノズルの作用について説明する模式図である。
【図１３】本発明の実施形態の塗布ノズルの作用について説明する模式図である。
【図１４】第２比較例の塗布ノズルの作用について説明する模式図である。
【図１５】第２比較例の塗布ノズルの作用について説明する模式図である。
【発明を実施するための形態】
【００１７】
本発明の実施形態の塗布ノズルおよび塗布用カートリッジについて説明する。
図１は、本発明の実施形態の塗布ノズルおよび塗布用カートリッジの構成例を示す模式的な斜視図である。図２は、本発明の実施形態の塗布ノズルの構成例を示す模式的な正面図である。図３は、本発明の実施形態の塗布ノズルの構成例を示す模式的な平面図である。図４は、図２におけるＡ−Ａ断面図である。図５は、図４におけるＢ−Ｂ断面図である。図６は、図４におけるＤ−Ｄ断面図である。
【００１８】
図１に示すように、本実施形態の塗布用カートリッジ１は、本実施形態の塗布剤容器３と、塗布ノズル２と、を備える。
【００１９】
塗布剤容器３は、図示略の塗布剤を押出可能に収容する。塗布剤容器３は、容器本体３ａと、ノズル連結部３ｂとを備える。
【００２０】
容器本体３ａとしては、例えば、チューブ、パウチ袋などが用いられてもよい。容器本体３ａは、外力によって変形可能な材料で作製されている。容器本体３ａの材料の例としては、後述する塗布剤に対する耐性およびバリア性を有する樹脂材料、金属材料、およびこれらの複合材料などが挙げられる。
容器本体３ａの形状は、容器本体３ａ内の塗布剤を押し出す外力を加える押出装置にセット可能な適宜形状が可能である。図１には、一例として、容器本体３ａが塗布剤を封入した状態で略円筒状になる例が示されている。
【００２１】
ノズル連結部３ｂは、容器本体３ａの長手方向の端部に固定されている。ノズル連結部３ｂは、容器本体３ａから塗布剤が押し出される押出口を形成するとともに、後述する塗布ノズル２を連結する。図示は省略するが、ノズル連結部３ｂの中心部には、押出口となる貫通孔が形成されている。ノズル連結部３ｂの外周部には、後述する塗布ノズル２と連結するための適宜の係合構造が形成されている。本実施形態では、ノズル連結部３ｂの外周部には、係合構造の一例として、雄ねじが形成されている。
【００２２】
塗布剤としては、容器本体３ａに圧力をかけてノズル連結部３ｂの貫通孔から押し出すことができる粘性流動体が使用可能である。塗布剤としては、例えば、シーリング剤、コーキング剤、充填剤、接着剤などが用いられてもよい。塗布剤の具体例としては、例えば、シリコーン充填剤、ウレタン充填剤、アクリル接着剤、ゴム系接着剤などが挙げられる。
【００２３】
塗布ノズル２は、ノズル連結部３ｂにおいて塗布剤容器３と接続される先細のキャップ状あるいはシース状の部材である。塗布ノズル２には先端に予め吐出口が形成されていてもよいが、本実施形態では、塗布ノズル２の先端は閉じられている。このため、塗布ノズル２に吐出口が形成されるまでは、塗布ノズル２は、塗布剤容器３の押出口を密閉する蓋の機能を有する。
【００２４】
塗布ノズル２の中心軸線Ｃに沿って断面形状が変化している。中心軸線Ｃは湾曲している。
以下では、塗布ノズル２の形状を説明する場合、中心軸線Ｃに関して「軸方向」、「周方向」、「径方向」が用いられる場合がある。「軸方向」は、中心軸線Ｃに沿う方向である。「周方向」は、中心軸線Ｃ回りに周回する方向である。「径方向」は、中心軸線Ｃに直交する平面において中心軸線Ｃに交差する線に沿う方向である。
【００２５】
図２に示すように、塗布ノズル２は、基端Ｅ１から先端Ｅ２に向かって、接続部２Ａと、ノズル本体部２Ｂと、がこの順に形成されている。
以下では、塗布ノズル２における位置または領域の相対関係を説明する場合、「基端側」、「先端側」が用いられる場合がある。「基端側」（「先端側」）の位置または領域は、相対比較する位置または領域に比べて、より基端Ｅ１（先端Ｅ２）寄りの位置または領域を意味する。
【００２６】
図２〜図４に示すように、接続部２Ａは、略円筒状の筒状部２ｃと、基端Ｅ１において径方向において筒状部２ｃの外側に向かって延びるフランジ２ａと、を備える。
以下では、中心軸線Ｃにおいて、筒状部２ｃの範囲の部分を指す場合、第１の中心軸線Ｃ１と表記する。第１の中心軸線Ｃ１は、直線状に延びている。
【００２７】
図２に示すように、筒状部２ｃの外周部における先端側には、軸方向に延びる突起部２ｎが、周方向において間隔をあけて複数形成されている。
フランジ２ａは、平面視（図３参照）において円環状である。フランジ２ａにおける先端側の表面には、径方向に延びる複数のリブ２ｍが放射状に形成されている。
突起部２ｎおよびリブ２ｍは、接続部２Ａの補強リブの機能を有するとともに、塗布ノズル２をノズル連結部３ｂに着脱する際の滑り止めの機能を有する。
【００２８】
図４に示すように、筒状部２ｃの内部における基端側には、ノズル連結部３ｂの雄ねじと螺合する雌ネジからなるネジ部２ｂが形成されている。
接続部２Ａは、ネジ部２ｂがノズル連結部３ｂと螺合することによって、塗布ノズル２を塗布剤容器３に接続する。
【００２９】
ノズル本体部２Ｂは、基端側から先端Ｅ２に向かって、縮径部２ｆ、管状部２ｇ、および先端部２ｈを備える。
以下では、中心軸線Ｃにおいて、縮径部２ｆ、管状部２ｇ、および先端部２ｈの範囲の部分を指す場合、それぞれ第２の中心軸線Ｃ２、第３の中心軸線Ｃ３、および第４の中心軸線Ｃ４、と表記する。
【００３０】
ノズル本体部２Ｂの肉厚は、場所によってばらついてもよいが、縮径部２ｆ、管状部２ｇ、および先端部２ｈの肉厚は、それぞれ略一定であることがより好ましい。
ここで肉厚が「略一定」とは、各部位における肉厚が、各部位の平均肉厚±１０％の範囲に収まっていることを意味する。
このような部位ごとの略一定の肉厚は、例えば、塗布ノズル２が射出成形で製作されることによって、容易に実現される。ただし、塗布ノズル２がブロー成形で製作される場合には、このような部位ごとの肉厚の作り分けは困難である。
先端部２ｈおよび管状部２ｇは、吐出口を形成しやすいように、縮径部２ｆに比べて薄肉に形成することがより好ましい。以下では、一例として、縮径部２ｆは、例えば、平均肉厚１ｍｍの厚肉部、管状部２ｇおよび先端部２ｈは、例えば、平均肉厚０．８ｍｍの薄肉部として構成される場合の例で説明する。このため、ノズル本体部２Ｂにおいて、中心軸線Ｃに直交する同一断面における内面Ｓｉの断面形状と外面Ｓｏの断面形状とは、互いに相似の関係にある。
さらに本実施形態では、内面Ｓｉおよび外面Ｓｏの形状は、第１の中心軸線Ｃ１に沿う方向から見て、アンダーカットを有しない形状である。すなわち、ノズル本体部２Ｂは、成形型のコアとキャビティとを第１の中心軸線Ｃ１に沿う方向に相対移動するのみで、ノズル本体部２Ｂの部位を脱型できる形状に形成されている。
【００３１】
縮径部２ｆは、接続部２Ａにおける先端側の端部に接続されている。縮径部２ｆは、第２の中心軸線Ｃ２を中心とする管状に形成されている。
第２の中心軸線Ｃ２は、接続部２Ａから離れるにつれて第１の中心軸線Ｃ１から第１の方向ｄにおいて連続的に偏心している。第１の方向ｄは、図４において、図示の右から左に向かう方向である。
図４に示す例では、第２の中心軸線Ｃ２の偏心量の変化は軸方向にわたって滑らかである。第２の中心軸線Ｃ２の偏心量の変化率は、縮径部２ｆにおける基端側の端部から先端側の端部に向かって、０から徐々に増大して極大値にする。さらに、第２の中心軸線Ｃ２の偏心量の変化率は、極大値から漸次減少して０に近づくか、もしくは０に戻るように変化している。
【００３２】
縮径部２ｆにおいて、外面Ｓｏおよび内面Ｓｉは、縮径部２ｆにおける基端側の端部から先端側の端部に向かうにつれて、連続的かつ滑らかに縮径している。
縮径部２ｆにおいて、第１の中心軸線Ｃ１に直交する断面における断面形状は、基端側の円形断面部２ｄでは円形（図５参照）、先端側の楕円形断面部２ｅでは第１の方向ｄに短軸を有する楕円形である。第１の中心軸線Ｃ１は、円形部分においては円の中心を通り、楕円形部分においては楕円の中心を通る。なお、本明細書では、楕円の長軸と短軸との交点を楕円の中心と定義する。また、厳密には楕円と言えない略楕円形の場合でも、長軸および短軸の交点によって略楕円形の中心として定義する。
縮径部２ｆにおいて、第２の中心軸線Ｃ２を含み第１の方向ｄに延びる断面と、外面Ｓｏおよび内面Ｓｉとの交線は、第１の中心軸線Ｃ１と略平行である。ここで「略平行」とは、交線が第１の中心軸線Ｃ１とが平行の場合と、交線が第１の中心軸線Ｃ１に対して射出成形における抜き勾配に相当する程度傾いている場合と、が含まれる。
【００３３】
管状部２ｇは、縮径部２ｆにおける先端側の端部（接続部２Ａと反対側の端部）に接続されている。管状部２ｇは、第３の中心軸線Ｃ３を中心とする管状に形成されている。図６に示すように、第３の中心軸線Ｃ３に直交する断面における管状部２ｇの断面形状は、第１の方向ｄに短軸を有する楕円形である。管状部２ｇは、縮径部２ｆにおける先端側の端部と滑らかに接続している。
図４に示すように、第３の中心軸線Ｃ３は直線状である。第３の中心軸線Ｃ３は、第１の中心軸線Ｃ１に対して第１の方向ｄにΔだけ偏心し第１の中心軸線Ｃ１と平行に延びている。
管状部２ｇの外面Ｓｏは、縮径部２ｆの最小外形を超えることなくかつ縮径部２ｆよりも外形変化が緩やかな状態で第３の中心軸線Ｃ３に沿う方向に延びている。
ここで「縮径部２ｆよりも外形変化が緩やかな状態」とは、第１の中心軸線Ｃ１に直交する断面において、縮径部２ｆにおける先端側の断面積の変化率の大きさよりも管状部２ｇ全体の断面積の変化率の大きさが小さいことを意味する。これにより、縮径部２ｆおよび管状部２ｇは全体として漏斗状である。
【００３４】
本実施形態では、図２に示すように、縮径部２ｆの先端側である楕円形断面部２ｅにおける長径の変化率と、管状部２ｇにおける長径の変化率とは同一である。しかし、本実施形態では、図４に示すように、管状部２ｇの短径の変化率は略０であるのに対して、楕円形断面部２ｅにおける短径の変化率は格段に大きい。この結果、断面積の変化率としては、短径の変化率の寄与が大きくなるため、管状部２ｇは、縮径部２ｆよりも外形変化が緩やかな状態で延びている。
このように、管状部２ｇにおいては、短径の変化率は略０であっても、長径は、基端側の端部から先端側の端部に向かって漸次縮径している。このため、管状部２ｇの内面Ｓｉも、外面Ｓｏと同様、基端側から先端側に向かって縮径しているため、塗布剤を付勢して吐出するノズル機能は保たれている。
【００３５】
管状部２ｇにおいて、第３の中心軸線Ｃ３を含み第１の方向ｄに延びる断面と、外面Ｓｏおよび内面Ｓｉとの交線は、縮径部２ｆにおける同様の交線の延長上に形成されている。
このため、縮径部２ｆおよび管状部２ｇにおいて、第１の方向ｄにおける側部は、第１の中心軸線Ｃ１に略平行な直線に沿って延びている。
【００３６】
管状部２ｇの第３の中心軸線Ｃ３に直交する断面における外面Ｓｏの短径の大きさは、必要に応じて適宜設定することができる。例えば、溝内に塗布剤を塗布する必要がある場合には、短径の大きさは管状部２ｇが溝に挿入できるように大きさを設定されればよい。例えば、外面Ｓｏの短径の大きさは、３ｍｍ以上１０ｍｍ以下であってもよい。
管状部２ｇの先端側の端部における内面Ｓｏの短径および長径の大きさは、塗布剤の押し出し抵抗が大きくなりすぎない範囲で、適宜設定されればよい。管状部２ｇの先端側の端部における内面Ｓｏの短径の大きさは、例えば、２ｍｍ以上１０ｍｍ以下であってもよい。同様に内面Ｓｏの長径の大きさは、例えば、３ｍｍ以上１５ｍｍ以下であってもよい。
管状部２ｇの軸方向の長さは、塗布剤の押し出し抵抗が大きくなりすぎない範囲で、なるべく長いことが好ましい。例えば、管状部２ｇの長さは、５ｍｍ以上２０ｍｍ以下であってもよい。
【００３７】
先端部２ｈは、管状部２ｇにおける先端側の端部（縮径部２ｆと反対側の端部）に接続されている。先端部２ｈは、第４の中心軸線Ｃ４を中心とするキャップ状に形成されている。本実施形態では、先端部２ｈは、管状部２ｇの先端側の端部に滑らかに接続している。先端部２ｈは、管状部２ｇの先端側を塞いでいる。
先端部２ｈは、管状部２ｇの最小外形を超えない外形を有する。第４の中心軸線Ｃ４に直交する断面における先端部２ｈの断面形状は、第１の方向ｄに短軸を有する楕円形である。
【００３８】
先端部２ｈの第４の中心軸線Ｃ４は、第３の中心軸線Ｃ３と同軸であってもよい。ただし、先端部２ｈの第４の中心軸線Ｃ４は、第３の中心軸線Ｃ３から第１の中心軸線Ｃ１の方にむかって傾斜または湾曲していることがより好ましい。
図４に示す例では、第１の方向ｄの方に向いている側面部に、第１の方向ｄと反対の方向（図示右方向）に傾斜または湾曲した傾斜部２ｊが形成されている。このため、第４の中心軸線Ｃ４に直交する断面における先端部２ｈの断面形状は、基端側から先端側に向かって縮径している。これにより、第４の中心軸線Ｃ４は、第３の中心軸線Ｃ３から第３の中心軸線Ｃ１の方にむかって傾斜または湾曲している。
【００３９】
このような構成の塗布ノズル２の材質は、塗布剤に対する耐性を有する樹脂材料が用いられる。塗布ノズル２に用いられる樹脂材料は、少なくとも先端部２ｈおよび管状部２ｇにおいて、カッターなどの刃物で切断可能な硬さを有する材料が用いられる。本実施形態では、縮径部２ｆに比べて、管状部２ｇおよび先端部２ｈが薄肉になっているため、管状部２ｇおよび先端部２ｈの切断が容易になっている。
【００４０】
塗布ノズル２は、このような樹脂材料が射出成形されることによって、製造されてもよい。以下、射出成形による塗布ノズル２の製造方法の一例について簡単に説明する。
図７は、本発明の実施形態の塗布ノズルの製造工程の一例を示す模式的な断面図である。
【００４１】
塗布ノズル２は、例えば、図７に主要部の構成を示す成形装置５０によって製造可能である。
成形装置５０は、固定型５２、可動型５１、および図示略の射出シリンダーを備える。
固定型５２は、コアプレート５２Ａに、ネジ部２ｂの形状を転写するネジ抜き金型５２Ｂと、ノズル本体部２Ｂの内面Ｓｉの形状を転写する成形面５２ａが形成されたコア５２Ｃと、が設けられている。
可動型５１は、図示略のキャビティプレートに、接続部２Ａの外面およびノズル本体部２Ｂの外面Ｓｏの形状を転写する成形面５１ａが形成されたキャビティ５１Ａが設けられている。
本実施形態では、塗布ノズル２の形状において、塗布ノズル２の第１の中心軸線Ｃ１から見たアンダーカットは、ネジ部２ｂのみである。成形面５２ａは、第１の中心軸線Ｃ１に沿う方向を抜き方向とし、ネジ部２ｂを除く塗布ノズル２の内面形状を反転した凸形状になっている。成形面５１ａは、第１の中心軸線Ｃ１に沿う方向を抜き方向とし、塗布ノズル２の外面形状とを反転した凹形状になっている。
【００４２】
塗布ノズル２を成形するには、可動型５１を固定型５２に型合わせし、ネジ抜き金型５２Ｂおよびコア５２Ｃと、キャビティ５１Ａとの間の成形空間に図示略の射出シリンダーから成形用樹脂が充填される。これにより、成形空間内に充填された成形用樹脂が塗布ノズル２の形状に成形される。
成形用樹脂が硬化したら、ネジ抜き金型５２Ｂを回転させながら型開きを行うことで、塗布ノズル２の形状を有する成形品が脱型される。
このようにして、塗布ノズル２が、樹脂射出成形によって一体成形される。
【００４３】
本実施形態の塗布ノズル２は、ネジ部２ｂを除いてアンダーカットを有しないため、固定型５２はネジ抜き金型５２Ｂを有するが、その他にスライド型などを用いる必要はない。このため、成形装置５０に用いる成形型の型構造を簡素化できる。この結果、型コストが低減されるため、塗布ノズル２の型コストが低減される。
また、塗布ノズル２の形状は、成形困難なアンダーカットを有しないため、上述のように一体成形が可能である。例えば、接続部２Ａとノズル本体部２Ｂとを別々に形成した後、２部品を組み立てたり、接合したりするといった製造工程が不要である。このため、塗布ノズル２は、２部品から構成する場合に比べて、製造コストを低減することができる。
【００４４】
次に、塗布ノズル２の作用について、塗布ノズル２の使用方法とともに説明する。
図８、図９は、それぞれ、本発明の実施形態の塗布ノズルの吐出口の形成方法の一例を示す模式的な断面図である。
【００４５】
塗布ノズル２は、予め塗布剤が収容された塗布剤容器３に連結されて塗布用カートリッジ１の一部を構成する状態で供給されてもよい。この場合には、使用者が吐出口の形成作業を行う。
塗布ノズル２は、塗布剤が封入された塗布剤容器３と、連結されていない状態で供給されてもよい。この場合、使用者は、塗布ノズル２を塗布剤容器３と連結する作業も行う必要がある。塗布ノズル２は、未開封の塗布剤容器３に連結されてもよい。塗布ノズル２は、すでに使用開始された塗布剤容器３の塗布ノズルの交換ノズルとして用いられてもよい。
未連結の塗布ノズル２を使用する場合、使用者は、塗布ノズル２を塗布剤容器３に連結する前に、吐出口を形成してもよいし、塗布ノズル２を塗布剤容器３に連結した後に、吐出口を形成してもよい。
【００４６】
図８に、塗布ノズル２における吐出口の形成方法の一例を示す。
図８に示す例では、径方向において第１の中心軸線Ｃ１に近い方の先端部２ｈから傾斜部２ｊに向かって交差する切断線Ｌ１に沿って、先端部２ｈの先端側が切除されている。これにより、第４の中心軸線Ｃ４を斜めに横断する平面に沿って吐出口２ｐが形成されている。吐出口２ｐを形成する切り口は、第３の中心軸線Ｃ３に対して鋭角をなして傾斜している。
このようにして形成された吐出口２ｐは、第１の中心軸線Ｃ１から管状部２ｇの偏心方向である第１の方向ｄにおいて見ると、切り口の傾斜に応じて楕円状または円状に開口している。吐出口２ｐの近傍の内面Ｓｉは、傾斜部２ｊが残存していることによって、第４の中心軸線Ｃ４に沿って傾斜または湾曲する管路を構成している。
【００４７】
このため、塗布ノズル２の内部から図示略の塗布剤が押し出されると、塗布剤は、図示白抜き矢印のように、第４の中心軸線Ｃ４に沿って、第１の中心軸線Ｃ１の方に向かう斜め方向に吐出される。
このような吐出口２ｐによれば、切断線Ｌ１の傾斜に応じて、塗布剤の吐出方向が変更される。このため、アンダーカットとなる屈曲形状を有するカーブノズルを用いるのと略同様にして、第１の中心軸線Ｃ１と交差する斜め方向に塗布剤を吐出することができる。
【００４８】
図９に、吐出口の形成方法の他の例を示す。
図９に示す例では、第３の中心軸線Ｃ３に直交する平面に沿って管状部２ｇを横断する切断線Ｌ２に沿って、管状部２ｇの中間部よりも先端側の管状部２ｇと先端部２ｈとが切除されている。これにより、第３の中心軸線Ｃ３に直交する平面に沿って吐出口２ｑが形成されている。
このようにして形成された吐出口２ｑは、第３の中心軸線Ｃ３に沿う方向において、楕円状に開口している。吐出口２ｑの近傍の内面Ｓｉは、第３の中心軸線Ｃ３に沿う真直の管路を構成している。
このような吐出口２ｑによれば、塗布ノズル２の内部から図示略の塗布剤が押し出されると、塗布剤は、図示白抜き矢印のように、第３の中心軸線Ｃ３に沿ってまっすぐに吐出される。このため、ストレートノズルを用いる場合と同様、第１の中心軸線Ｃ１に平行な方向に塗布剤を吐出することができる。
さらに、吐出口２ｑによれば、管状部２ｇにおける切断位置を変えても吐出口２ｑの断面積はあまり変わらない。このため、吐出口２ｑが詰まってしまった場合には、残りの管状部２ｇの範囲を再度切断することによって、吐出口２ｑを再生することができる。
また、管状部２ｇにおける切断位置が変わっても、外面Ｓｏの短径は変わらないため、再生前に挿入したできた隙間であれば、吐出口２ｑの再生後も同様に管状部２ｇが挿入される。
【００４９】
吐出口２ｑは、切断線Ｌ１のように第３の中心軸線Ｃ３に対して斜め方向に延びる切断線、あるいは切断線Ｌ１と反対側に傾いた切断線によって形成されてもよい。この場合、吐出方向は変わらないが、吐出される塗布剤が切り口によって片側に寄せられる。このため、塗布部の溝の一方の隅部への塗布が容易となる。
【００５０】
次に、本実施形態の塗布ノズル２の作用について、比較例と対比して説明する。
図１０は、第１比較例の塗布ノズルの吐出口の形状について説明する模式的な断面図である。図１１は、第２比較例の塗布ノズルの吐出口の形状について説明する模式的な断面図である。
【００５１】
図１０に、第１比較例の塗布ノズル２０における吐出口の形成方法の一例を示す。第１比較例の塗布ノズル２０は、中心軸線Ｃ２０を中心とする直円錐状のストレートノズルである。
第１比較例では、例えば、中心軸線Ｃ２０と図示右下がりの斜め方向に交差する切断線Ｌ２０ａ（Ｌ２０ｂ）に沿って、先端部を切除することによって、吐出口２０ａ（２０ｂ）が形成される。ここで、切断線Ｌ２０ａ、Ｌ２０ｂは互いに平行である。切断線Ｌ２０ａは、切断線Ｌ２０ｂよりもより先端側に位置する。
塗布ノズル２０においては、塗布剤が基端側で加圧されると、中心軸線Ｃ２０上で最も大きな流速を有する塗布剤の流れが中心軸線Ｃ２０を中心として形成される。吐出口２０ａ（２０ｂ）の近傍では、図示左右の内面２０ｃ、２０ｄに沿う流れが中心に合流するようにして、吐出口２０ａ（２０ｂ）から吐出される。このため、内面２０ｄに沿う流れが、外部に出た後も、内面２０ｃに沿う一部の流れが内面２０ｃにガイドされているため、その影響で塗布剤の吐出方向がわずかに図示右側に偏ることが考えられる。しかし、塗布剤の流れの主要部は、管路中心の中心軸線Ｃ２０を中心として中心軸線Ｃ２０に沿う流れであるため、塗布剤全体としては、中心軸線Ｃ２０に略沿って吐出される。
したがって、切断線Ｌ２０ａ（Ｌ２０ｂ）の傾斜を変えても、カーブノズルのように、吐出方向を斜め方向に変えることは難しい。
これに対して、本実施形態の塗布ノズル２に吐出口２ｐが形成された場合には、第４の中心軸線Ｃ４に沿う管路が残されているため、吐出方向を第４の中心軸線Ｃ４に沿う方向にすることができる。
【００５２】
第１比較例では、吐出口２０ａと吐出口２０ｂとの開口の大きさが異なる。このため、吐出口２０ａが詰まってしまうと、より大きな開口を有する吐出口２０ｂしか形成できない。吐出口２０ｂは、吐出口２０ａよりも弱い押出力でも吐出口２０ａと同量以上に吐出されてしまうため、吐出口２０ａと同様の塗布作業を行うことが難しくなる。例えば、狭い領域に少量の塗布剤を塗布する必要がある場合のような繊細さが求められる塗布作業が難しくなってしまう。
これに対して、本実施形態の塗布ノズル２は、ストレートノズルと同様の用途であれば、上述のように、吐出口の断面積をほとんど変えることなくより基端側に新たな吐出口を形成することができる。このため、新たな吐出口を形成しても、略同様の塗布作業を続けることができる。
【００５３】
図１１に、第２比較例の塗布ノズル２１における吐出口の形成方法の一例を示す。第２比較例の塗布ノズル２１は、中心軸線Ｃ２１を中心とする斜円錐状のストレートノズルである。
第２比較例では、例えば、中心軸線Ｃ２１と図示右下がりの斜め方向に交差する切断線Ｌ２１ａ（Ｌ２１ｂ）に沿って、先端部を切除することによって、吐出口２１ａ（２１ｂ）が形成される。ここで、切断線Ｌ２１ａ、Ｌ２１ｂは互いに平行である。切断線Ｌ２１ａは、切断線Ｌ２１ｂよりもより先端側に位置する。
このような斜円錐状の塗布ノズル２１は、図示略の接続部の中心軸線から吐出口２１ａ（２１ｂ）が偏心しているため、塗布部の配置または形状によっては、第１比較例の塗布ノズル２０よりも、塗布作業がやりやすくなる場合がある。
しかし、塗布ノズル２１においては、上記第１比較例と同様、塗布剤が基端側で加圧されると、管路中心の中心軸線Ｃ２１を中心として中心軸線Ｃ２１に沿う主要な流れが形成される。このため、上記第１比較例と同様、塗布剤全体としては、中心軸線Ｃ２１に略沿って吐出される。
したがって、切断線Ｌ２１ａ（Ｌ２１ｂ）の傾斜を変えても、カーブノズルのように、吐出方向を斜め方向に変えることは難しいため、本実施形態の塗布ノズル２に比べると、塗布作業が難しくなってしまう。
さらに、吐出口２１ａ、２１ｂの開口の大きさが異なってしまうことも、上記第１比較例と同様である。
【００５４】
塗布ノズル２は、アンダーカットを有しないため、従来の湾曲した管路を有するカーブノズルとは形状が異なる。しかし、上述のように、塗布ノズル２によれば、先端部２ｈに吐出口２ｐを形成することによって吐出方向を第１の中心軸線Ｃ１に対する斜め方向にすることができるため、カーブノズルのような使い方が可能である。さらに、塗布ノズル２によれば、管状部２ｇに吐出口２ｑを形成することによって、断面積が一定の吐出口が再生可能なストレートノズルとして用いることも可能である。
【００５５】
次に、塗布ノズル２の作用について、塗布時の使用方法とともに説明する。
図１２、図１３は、それぞれ、本発明の実施形態の塗布ノズルの作用について説明する模式図である。
【００５６】
図１２に、吐出口２ｐが形成された塗布ノズル２および塗布用カートリッジ１の使用方法の一例を示す。第１使用例における塗布部は、壁３０に嵌め込まれた窓サッシ３１の上面３１ａと、壁３０の表面３０ａとで形成される隅部である。このような塗布部では、上方に図示略の天井があるため、塗布ノズル２をできるだけ水平に近い状態に構えて塗布作業が行えることが好ましい。塗布ノズル２を水平に近い状態に配置することによって、使用者は、塗布作業中に斜め上から塗布部の状況を視認しやすくなる。
本使用例に置いて使用される塗布剤６は、例えば、シリコーン充填剤である。
【００５７】
塗布用カートリッジ１は、シリコーンガンなどの押出装置４にセットされる。押出装置４は、塗布剤容器３の長手方向に沿って延びている。押出装置４の先端部からは、塗布ノズル２が押出装置４の長手方向に沿って延びている。使用者は、予め、塗布ノズル２に吐出口２ｐを形成しておく。なお、図１２は模式図のため、ノズル連結部３ｂの図示は省略されている（図１３も同様）。
使用者は、窓サッシ３１の上面３１ａと、壁３０の下端部の表面３０ａとによって形成される隅部に吐出口２ｐが近接して対向するように、押出装置４を保持する。具体的には、吐出口２ｐの切り口の外周部が表面３０ａと上面３１ａと接するように配置されることがより好ましい。
壁３０の表面３０ａからは窓サッシ３１の上面３１ａが飛び出しているが、塗布ノズル２の管状部２ｇが上面３１ａの飛び出し量よりも長くしておくことによって、塗布ノズル２を略水平に配置することが可能である。
さらに、管状部２ｇの第３の中心軸線Ｃ３は、第１の中心軸線Ｃ１に対して図示上方にΔだけ偏心している。このため、塗布剤容器３および押出装置４は、Δ程度図示下方にずれた位置に配置される。これにより、使用者が押出装置４を保持する高さがΔ程度低くなり、塗布ノズル２の図示上方にそれだけ見通しのよい空間が拡がる。
この結果、窓サッシ３１の上部の塗布部への塗布作業でも、塗布部の周辺が使用者によって視認しやすくなる。このため、作業性が向上するとともに、仕上がりを確認しながら塗布作業が行える。
【００５８】
使用者が押出装置４を操作すると、吐出口２ｐから塗布剤６が吐出される。塗布剤６は、第４の中心軸線Ｃ４に沿って、図示右下がりの斜め方向に吐出される。このため、吐出口２ｐが塗布部の上側に配置されていても、塗布剤６が塗布部に効率的に充填される。
使用者は、例えば、押出装置４を紙面奥側に移動することによって、窓サッシ３１の上辺部に沿って塗布剤６を塗布することができる。
【００５９】
本実施形態では、管状部２ｇおよび先端部２ｈの断面形状が第１の方向ｄに短軸を有する楕円形である。このため、管状部２ｇおよび先端部２ｈは、内面Ｓｉの流路断面積は、同じ隙間に挿入できる円管の内周面の流路断面積よりも大きくなる。このため、管状部２ｇおよび先端部２ｈにおける塗布剤６の流動抵抗が円管に比べて低減される。このため、塗布剤６を押し出すための力量が低減される。
【００６０】
図１３に、吐出口２ｐが形成された塗布ノズル２および塗布用カートリッジ１の使用方法の他の一例を示す。第２使用例における塗布部は、躯体３２から突出したサッシ取り付け部３２ｂの表面３２ｃと、サッシ取り付け部３２ｂ上に嵌め込まれた窓サッシ３３の下部における下面３３ａとで形成される隅部である。本使用例に置いて使用される塗布剤６は、例えば、シリコーン充填剤である。
窓サッシ３３は、床面に近い部位に取り付けられるため、躯体３２の版状部３２ａと窓サッシ３３の下面３３ａとの間の隙間Ｈは、押出装置４の先端部の大きさの半分程度しかない。
このような塗布部では、版状部３２ａと下面３３ａとの隙間Ｈが小さいため、塗布ノズル２をできるだけ水平に近い状態に構えて塗布作業が行えることが好ましい。このとき、使用者は、塗布部および塗布ノズル２の先端を視認できないため、塗布剤６が確実に隅部に向かうように押出装置４を保持できることが重要である。
【００６１】
本使用例においても、第１使用例と同様に、吐出口２ｐが形成された塗布ノズル２が用いられる。
使用者は、吐出口２ｐが斜め上方を向くように、第１使用例と上下の向きを逆にした状態で、管状部２ｇを、窓サッシ３３の下面３３ａの下側に挿入する。使用者は、できるだけ管状部２ｇが水平に近い姿勢となるように押出装置４を保持した状態で吐出口２ｐをサッシ取り付け部３２ｂの表面３２ｃに近づける。
このとき、管状部２ｇの第３の中心軸線Ｃ３は、第１の中心軸線Ｃ１よりも図示下方に約Δだけ偏心している。このため、押出装置４の先端部の大きさの半分程度しかない隙間Ｈに管状部２ｇを挿入しても、管状部２ｇを下面３３ａに近づけることで、押出装置４が版状部３２ａと干渉しない状態で、押出装置４を略水平に保持できる。
【００６２】
使用者が押出装置４を操作すると、吐出口２ｐから塗布剤６が吐出される。塗布剤６は、第４の中心軸線Ｃ４に沿って、図示右上がりの斜め方向に吐出される。このため、吐出口２ｐが塗布部の下側に配置されていても、塗布剤６が塗布部に効率的に充填される。
使用者は、例えば、押出装置４を紙面奥側に移動することによって、窓サッシ３３の下辺部に沿って塗布剤６を塗布することができる。
【００６３】
次に、本実施形態の塗布ノズル２の使用時における作用について、比較例と対比して説明する。ただし、上記第１使用例、上記第２使用例のいずれにおいても、上記第２比較例よりは上記第１比較例の方が塗布しにくいことは明らかであるため、以下では、第２比較例の塗布ノズル２１と対比して説明する。
図１４、図１５は、それぞれ、第２比較例の塗布ノズルの作用について説明する模式図である。
【００６４】
図１４は、上述の第１使用例において、塗布ノズル２に代えて塗布ノズル２１を用いる場合の例を示す。吐出口としては上述の吐出口２１ａが形成されている。
塗布ノズル２１は、斜円錐状のノズルであるため、吐出口２１ａは、塗布ノズル２１の基端部の中心に対して径方向に偏心している。このため、押出装置４は、この偏心量に対応して、図示下方に配置することができる。
しかし、塗布ノズル２１は、偏心方向と反対側の外面２１ｆが、吐出口２１ａから一定の傾斜に沿って延びている。このため、塗布ノズル２１は、外面２１ｆが上面３１ａと平行になる角度が最も浅い傾斜になる。
したがって、塗布ノズル２１が用いられる場合には、吐出口２１ａの偏心量が本実施形態と同様にΔであっても、水平面に対する押出装置４の傾斜は、塗布ノズル２１の方が確実に大きくなってしまう。このため、塗布ノズル２１が用いられる場合には、図示上方に本実施形態の塗布ノズル２が用いられる場合に比べると、塗布ノズル２の上方における空間が狭まってしまう。この結果、押出装置４が保持しにくくなるため、作業性が低下する。さらに、塗布部の周辺が使用者によって視認しにくくなるため、仕上がりを確認しながら塗布作業を行うことができなくなってしまう。
【００６５】
図１５は、上述の第２使用例において、塗布ノズル２に代えて塗布ノズル２１を用いる場合の例を示す。
第２使用例のように、隙間Ｈが狭い場合、塗布ノズル２１の外面２１ｆを下面３３ａに平行に配置することはできなくなる。この場合、押出装置４を水平に近づけて保持しても、外面２１ｆと窓サッシ３３の角部とが干渉するため、吐出口２１ａの切り口を下面３３ａに当接させることができなくなる。この状態で塗布剤６が押し出されると、塗布剤６は、中心軸線Ｃ２１に沿って図示右下がりに吐出される。吐出された塗布剤６は、下面３３ａよりも下方の表面３２ｃに集まってしまうため、下面３３ａと表面３２ｃと形成される隅部には、塗布剤６が回り込めなくなり、塗布不良になってしまう。
【００６６】
本実施形態の塗布ノズル２を用いる場合には、上述したように、第１使用例および第２使用例において、第２比較例の塗布ノズル２１のような問題は発生しない。
【００６７】
以上説明したように、本実施形態の塗布ノズル２および塗布ノズル２を備える塗布用カートリッジ１によれば、種々の塗布部に塗布剤を容易に塗布することが可能となり、コストも低減できる。
【００６８】
なお、上記実施形態の説明では、管状部２ｇおよび先端部２ｈにおいて中心軸線Ｃに直交する断面における断面形状が楕円形の例で説明した。しかし、管状部２ｇおよび先端部２ｈの断面形状は、楕円形に近い略楕円形であればよく、厳密な楕円形には限定されない。
さらに、管状部２ｇおよび先端部２ｈの断面形状は、短軸と長軸とが区別できる扁平形状であれば、楕円形以外の断面形状が用いられてもよい。例えば、管状部２ｇおよび先端部２ｈの断面形状は、長円形、長方形、多角形などであってもよい。
【００６９】
上記実施形態の説明では、縮径部２ｆにおいて中心軸線Ｃに直交する断面における断面形状は、基端側で円形、先端側で楕円形である場合の例で説明した。しかし、縮径部２ｆの断面形状は、基端側で正多角形、先端側で短軸と長軸とが区別できる扁平な多角形であってもよい。
【００７０】
以上、本発明の好ましい実施形態を説明したが、本発明はこの実施形態に限定されることはない。本発明の趣旨を逸脱しない範囲で、構成の付加、省略、置換、およびその他の変更が可能である。
また、本発明は前述した説明によって限定されることはなく、添付の特許請求の範囲によってのみ限定される。
【符号の説明】
【００７１】
１  塗布用カートリッジ
２  塗布ノズル
２Ａ  接続部
２Ｂ  ノズル本体部
２ｄ  円形断面部
２ｅ  楕円形断面部
２ｆ  縮径部
２ｇ  管状部
２ｈ  先端部
２ｊ  傾斜部
２ｐ、２ｑ  吐出口
３  塗布剤容器
４  押出装置
６  塗布剤
３０  壁
３１、３３  窓サッシ
３２  躯体
３２ｂ  サッシ取り付け部
Ｃ  中心軸線
Ｃ１  第１の中心軸線
Ｃ２  第２の中心軸線
Ｃ３  第３の中心軸線
Ｃ４  第４の中心軸線
ｄ  第１の方向
Ｓｉ  内面
Ｓｏ  外面
【図１】
2018094480.tif 000003
【図２】
2018094480.tif 000004
【図３】
2018094480.tif 000005
【図４】
2018094480.tif 000006
【図５】
2018094480.tif 000007
【図６】
2018094480.tif 000008
【図７】
2018094480.tif 000009
【図８】
2018094480.tif 000010
【図９】
2018094480.tif 000011
【図１０】
2018094480.tif 000012
【図１１】
2018094480.tif 000013
【図１２】
2018094480.tif 000014
【図１３】
2018094480.tif 000015
【図１４】
2018094480.tif 000016
【図１５】
2018094480.tif 000017